(57)【要約】【課題】光源ユニットの装着を容易に行うことができる画像投射装置を提供する。【解決手段】プロジェクタ１などの画像投射装置は、放電ランプ２１などの光源を有し、装置本体に対して着脱可能に構成された光源ユニット２０ａを備え、光源からの光を用いて画像を投射する。画像投射装置は、光源ユニット２０ａを保持し、装置本体内の光源ユニット２０ａが収納される光源収納位置と、前記光源ユニットが装置本体から露出し光源ユニット２０ａが着脱される着脱位置とを選択的に取りうる保持部材１２０などの光源ユニット保持手段を備えている。【選択図】図６
2016035506.tif 000002
【特許請求の範囲】
【請求項１】
光源を有し、装置本体に対して着脱可能に構成された光源ユニットを備え、
前記光源からの光を用いて画像を投射する画像投射装置において、
前記光源ユニットを保持し、装置本体内の前記光源ユニットが収納される光源収納位置と、前記光源ユニットが装置本体から露出し、前記光源ユニットが着脱される着脱位置とを選択的に取りうる光源ユニット保持手段を備えたことを特徴とする画像投射装置。
【請求項２】
請求項１に記載の画像投射装置において、
前記光源ユニット保持手段が前記着脱位置に位置しているとき、前記光源ユニットは、前記光源ユニット保持手段に対して水平方向にスライド移動することで、前記光源ユニット保持手段に対して着脱されることを特徴とする画像投射装置。
【請求項３】
請求項１または２に記載の画像投射装置において、
前記光源ユニット保持手段が、前記光源収納位置と前記着脱位置とを選択的に取りうるために設けられた開口部を開閉する開閉カバーを備え、
前記開閉カバーを装置本体から取り外すことなく前記開口部を開けることができるように構成したことを特徴とする画像投射装置。
【請求項４】
請求項３に記載の画像投射装置において、
前記開閉カバーは、装置本体に対して回動自在に支持され、付勢手段によって前記開口部を開く開位置に付勢される回動部材と、装置本体のロック部により前記開口部を閉じる閉位置で装置本体にロックされる被ロック部材とを有し、
前記被ロック部材を前記回動部材に対してスライド移動させることで、ロックが解除され、前記開閉カバーが、前記付勢手段の付勢力で前記閉位置から前記開位置へ回動することを特徴とする画像投射装置。
【請求項５】
請求項４に記載の画像投射装置において、
所定以上の力を前記被ロック部材に加えることで、前記被ロック部材が、前記ロック部にロックされるロック位置からロックが解除されるロック解除位置へのスライド移動可能となることを特徴とする画像投射装置。
【請求項６】
請求項３乃至５いずれかに記載の画像投射装置において、
前記光源ユニット保持手段は、前記開閉カバーの開閉動作にリンクして、前記光源収納位置と着脱位置との間を移動するよう構成したことを特徴とする画像投射装置。
【請求項７】
請求項６に記載の画像投射装置において、
前記開閉カバーは、装置本体に対して回動自在に支持され、
前記光源ユニット保持手段と前記開閉カバーとを複数のアーム部材により連結し、
前記開閉カバーの回動動作で前記光源ユニット保持手段が、直線的に前記光源収納位置と着脱位置との間を移動するよう案内する案内手段を有することを特徴とする画像投射装置。
【請求項８】
請求項１乃至７いずれかに記載の画像投射装置において、
前記光源ユニット保持手段が、前記光源収納位置と前記着脱位置とを選択的に取りうるために設けられた開口部を開閉する開閉カバーを備え、
前記光源ユニットは、前記光源収納位置で装置本体内の位置決め部と嵌合して装置本体内に位置決めされる嵌合位置決め部と、前記光源収納位置で前記装置本体内の位置決め面に面接触する被位置決め面とを備え、
前記開閉カバーは、前記開口部を閉じたとき、前記光源収納位置に位置する前記光源ユニットを、前記位置決め面に向けて押圧する押圧部を有することを特徴とする画像投射装置。
【請求項９】
請求項１乃至８いずれかに記載の画像投射装置において、
前記光源ユニット保持手段が、前記光源収納位置と前記着脱位置とを選択的に取りうるために設けられた開口部を開閉する開閉カバーを備え、
前記開閉カバーが前記開口部を閉じているか否かを検知する開閉検知手段と、
前記開閉検知手段が前記開閉カバーが前記開口部を閉じていないことを検知したら、上記光源ユニットへの通電を遮断することを特徴とする画像投射装置。
【発明の詳細な説明】
【技術分野】
【０００１】
本発明は、プロジェクタなどの画像投射装置に関するものである。
【背景技術】
【０００２】
従来から、パソコンなどからの画像データに基づいて光を変調する画像生成素子と、この画像生成素子に光源ユニットの光源からの光を照射する照射部とからなる画像形成部を備え、画像形成部で画像を形成し、光変調部によって形成された画像を、投影光学部を用いて投影面に結像させる画像投射装置が知られている。
【０００３】
特許文献１には、光源ユニットを、画像投射装置の本体に対して着脱可能に構成し、光源ユニットが保持する光源の寿命がきたとき、光源ユニットが交換できるようにした画像投射装置が記載されている。
【発明の概要】
【発明が解決しようとする課題】
【０００４】
特許文献１においては、光源ユニットを交換する際は、まず、装置本体内に手を入れて、装置本体内の光源収納部に収納された光源ユニットを掴むなどして光源ユニットを装置本体から取り外す。そして、新品の光源ユニットを、装置本体内に挿入して、光源収納部に新品の光源ユニットを装着することになる。
【０００５】
しかし、上記特許文献１では、光源ユニットの装着を容易に行えないという課題がある。具体的には、特許文献１では、光源ユニットと、光源ユニットが収納される装置本体内の光源収納部との位置関係を目視で確認しながら、光源ユニットを装置本体内部の光源収納部に挿入していくことで、光源ユニットを装置本体に装着する。画像投射装置は、天井から吊るした状態や壁の上部に固定した状態など、装置本体内部を目視で確認しづらい状態で設置される場合がある。この場合、光源ユニットを装着する際、光源ユニットと装置本体内の光源収納部との位置関係を目視で確認しずらく、光源ユニットの装着を容易に行えない。
【０００６】
本発明は以上の課題に鑑みなされたものであり、その目的は、光源ユニットの装着を容易に行うことができる画像投射装置を提供することである。
【課題を解決するための手段】
【０００７】
上記目的を達成するために、請求項１の発明は、光源を有し、装置本体に対して着脱可能に構成された光源ユニットを備え、前記光源からの光を用いて画像を投射する画像投射装置において、前記光源ユニットを保持し、装置本体内の前記光源ユニットが収納される光源収納位置と、前記光源ユニットが装置本体から露出し、前記光源ユニットが着脱される着脱位置とを選択的に取りうる光源ユニット保持手段を備えたことを特徴とするものである。
【発明の効果】
【０００８】
本発明によれば、光源ユニットを容易に装置本体に装着することができる。
【図面の簡単な説明】
【０００９】
【図１】本実施形態に係るプロジェクタを示す斜視図。
【図２】本実施形態に係るプロジェクタを示す右側面。
【図３】（ａ）外装カバーを外したプロジェクタ１の内部構成と配置を示す斜視図、（ｂ）は（ａ）の太線枠で囲まれた部分の斜視図。
【図４】外装カバーを外したプロジェクタの内部構成を示す横断面図。
【図５】光源ユニットを交換する際の開口部が下向きの状態で設置した従来のプロジェクタを示す斜視図。
【図６】光源ユニット着脱機構を示す斜視図。
【図７】図６（ｂ）のＡ方向から見た斜視図。
【図８】開閉カバーの斜視図。
【図９】開閉カバーの分解斜視図。
【図１０】開閉カバーの回動軸周辺をプロジェクタとともに示す拡大斜視図。
【図１１】開閉カバーが、装置本体の開口部を閉じる閉位置でロックされた状態を説明する図。
【図１２】（ａ）は、押し部がインターロックスイッチを押している状態を説明ずる図。（ｂ）は、押し部がインターロックスイッチから離間した状態を説明する図。
【図１３】（ａ）は、カバー部材がロック位置にあるときの第一突起部と板バネ部材との関係を示す断面図。（ｂ）は、カバー部材がロック解除位置にあるときの第一突起部と板バネ部材との関係を示す断面図。
【図１４】カバー部材がロック解除位置にあるときの開閉カバーの斜視図。
【図１５】（ａ）は、押圧部の分解斜視図。（ｂ）は、押圧部の断面図。
【図１６】（ａ）は、開閉カバーが閉じられる直前の状態を示す断面図。（ｂ）は、開閉カバーを閉じた状態を示す断面図。
【図１７】図１６の図中Ｄ部付近の概略平面図。
【図１８】開閉カバーが閉位置から開位置へ回動を開始したときの様子を説明する図。
【図１９】開閉カバーが閉位置から開位置への回動の途中の様子を説明する図。
【図２０】開閉カバーが開位置に位置するときの様子を説明する図。
【発明を実施するための形態】
【００１０】
以下、本発明が適用される画像投射装置としてのプロジェクタ１の実施形態（以下、実施形態１という）について説明する。
図１は、本実施形態１に係るプロジェクタ１を示す斜視図である。図２は右側面図である。図１及び図２に示すように、プロジェクタ１の上面には、ユーザがプロジェクタ１を操作するための操作ボタン等の操作部１１が設けられている。また、スクリーン２００に映し出されている投射画面を拡大したり、縮小したりするズームレバー１２が設けられている。プロジェクタ１の正面には、装置電源のオン／オフを行う電源スイッチ１３、パソコンやビデオカメラ等の外部機器と接続するための外部入力端子１４、投射画像の光を出射する投射レンズ１５、装置環境の照度を検出するセンサ１６などが設けられている。プロジェクタ１の正面には、排気口１８が設けられている。プロジェクタ１における外装カバーの右側面には、冷却用の空気を取り入れる吸気口１７が設けられている。
【００１１】
図３（ａ）は、外装カバーを外したプロジェクタ１の内部構成と配置を示す斜視図、図３（ｂ）は、図３（ａ）の太線枠で囲まれた部分の斜視図である。図４は、投影機構部を構成する光源部、画像生成部、及び投射光学部の横断面図である。
図３、図４に示すように、プロジェクタ１は、ハロゲンランプ、メタルハライドランプ、高圧水銀ランプなど放電ランプ２１を備える光源部２０を備えている。また、放電ランプ２１からの光を用いて画像を生成する画像生成部３０、投射画像を出射する投射光学部４０を備えている。光源部２０は、光源たる放電ランプ２１を有する光源ユニット２０ａと、カラーホイール２２、ライトトンネル２３、２枚のリレーレンズ２４を有する画像照明光学系２０ｂとで構成されている。そして、放電ランプ２１からの光は、図４の矢印で示すように、回転するカラーホイール２２を通ることにより時分割でＲ、Ｇ、Ｂの光に分離される。このカラーホイール２２は、円盤形状のものであり、ホイールモータ２５のモータ軸に固定され、回転方向にＲ（レッド）、Ｇ（グリーン）、Ｂ（ブルー）などのフィルタが設けられている。カラーホイール２２により分離された光は、ライトトンネル２３へ入射する。ライトトンネル２３は、四角筒形状であり、その内周面が鏡面となっている。ライトトンネル２３に入射した光は、ライトトンネル２３の内周の鏡面で複数回反射しながら、均一な面光源にされて２枚のリレーレンズ２４へ向けて出射する。図４の矢印で示すように、２枚のリレーレンズ２４を透過し、次段の画像生成部３０の平面ミラー３１、凹面ミラー３２により反射され、画像表示素子たるＤＭＤ３３の画像生成面上に集光して結像される。
【００１２】
ここで、ＤＭＤ３３の画像生成面には、可動式の複数のマイクロミラーが格子状に配列されている。各マイクロミラーは、鏡面をねじれ軸周りに所定角度傾斜させることができ、「ＯＮ」と「ＯＦＦ」の２つの状態を持たせることができる。マイクロミラーが「ＯＮ」のときは、光源部２０の放電ランプ２１からの光を投射光学部４０の投射レンズに向けて反射する。「ＯＦＦ」のときは、照明ブラケットなどの側面に保持されたＯＦＦ光板（不図示）に向けて放電ランプ２１からの光を反射する。従って、各ミラーを個別に駆動することにより、画像データの画素ごとに光の投射を制御することができ、画像を生成することができる。なお、ＯＦＦ光板（不図示）に向けて反射された光は、熱となって吸収され外側の空気の流れで冷却される。
【００１３】
図１に示すプロジェクタ１は、放電ランプ２１からの光が、光源部２０内で、照射された白色光をカラーホイール２２によってＲＧＢに分光されて、画像生成部３０のＤＭＤ３３へ導かれ、変調信号に応じて画像形成するＤＭＤ３３とその画像を投射光学部４０で拡大投射する。
【００１４】
図５は、従来のプロジェクタを天井から吊り下げた状態、もしくは壁に設置した状態で、光源ユニット２０ａを交換する際の開口部１１０が下向きの状態を表した図である。
従来のプロジェクタは、開口部１１０の開口面が、鉛直方向に直交し、光源ユニット２０ａは、装置本体内から重力方向にスライドさせて取り外されていた。図５に示すように、天井から吊り下げた状態、もしくは壁に設置した状態のときは、次のようにして光源ユニット２０ａが交換される。すなわち、まず、頭上にあるプロジェクタから開閉カバー１ａを取り外す。次に、取り外した開閉カバー１ａを、作業の邪魔にならない位置に置いた後、装置本体内に手を入れて、装置本体内の光源収納部に収納された光源ユニット２０ａが落下しないように光源ユニットを抑えながら、本体にネジ止めされている光源ユニット２０ａのネジを外す。そして、光源ユニット２０ａを支えながら、装置本体から抜き出すのである。
【００１５】
この場合、装置本体内に手を入れて、装置本体内の光源ユニットにアクセスすることになるため、手が装置本体内の部品に引っ掛かる場合があり、光源ユニットを装置本体から容易に取り出せない。また、開閉カバー１ａを装置本体から取り外したときに手がすべるなどして、開閉カバー１ａが落下し、開閉カバー１ａが破損するおそれがある。また、光源ユニット２０ａを支えながら装置本体から取り外すため、取り外す際に手が滑るなどして光源ユニット２０ａから手が離れてしまうと、光源ユニット２０ａが落下してしまう。その結果、光源ユニット２０ａが破損するおそれがある。また、取り外した開閉カバー１ａについて、作業の邪魔にならない位置に置いたり、光源ユニット２０ａを装置に固定しているネジを工具を用いて取り外したりする作業が生じ、光源ユニット２０ａの取り外し作業が煩雑である。
【００１６】
また、光源ユニット２０ａを取り外した後は、新品の光源ユニット２０ａを持ち上げながら、装置本体内の収納部に挿入する。この際、装置本体内の収納部が目視で確認しずらく、光源ユニット２０ａをうまく装置本体内に挿入できない。また、この場合も装着時に手が滑るなどして、光源ユニット２０ａから手が離れてしまうと、光源ユニット２０ａが落下し、光源ユニット２０ａが破損するおそれもある。また、装着後、光源ユニット２０ａを支えながら装置にネジ止めした後、取り外した開閉カバー１ａを一旦取りに戻って、開閉カバー１ａを装着することになる。このように、取り外した開閉カバー１ａを一旦取りに戻ったり、光源ユニット２０ａを支えながら装置にネジ止めしたりする作業が生じ、光源ユニット２０ａの装着作業も煩雑である。
【００１７】
そのため、本実施形態では、光源ユニット２０ａを装置本体から露出させた状態で光源ユニット２０ａを交換できるようにし、光源ユニット２０ａの着脱を目視で確認しやすくした。また、開閉カバー１ａを装置本体から取り外すことなく、光源ユニット２０ａを交換できるようにした。これにより、光源ユニット２０ａを取り外す際に、取り外した開閉カバー１ａを作業の邪魔にならない位置に置いたり、光源ユニット２０ａを装着する際に、開閉カバー１ａを取りに戻ったりするなどの作業が発生しない。その結果、光源ユニット２０ａの交換作業を簡素化することができる。さらに、光源ユニット２０ａを水平方向にスライドさせて、着脱できるように構成した。これにより、重力方向にスライド移動させて着脱するものに比べて、光源ユニット２０ａの落下を抑制することができる。さらには、ネジ止めせずに、装置本体に位置決めできるようにし、ネジ止め作業をなくして、作業の簡素化を図った。以下に、図面を用いて具体的に説明する。
【００１８】
図６は、光源ユニット２０ａ着脱機構１５０を示す斜視図である。図６（ａ）は、プロジェクタから着脱される光源ユニット２０ａとプロジェクタ１とを示す斜視図であり、図６（ｂ）は、光源ユニット２０ａと、着脱機構１５０と光源ユニット収納部１１１とを示す斜視図である。また、図７は、図６（ｂ）のＡ方向から見た斜視図である。なお、図中Ｚ方向は重力方向であり、Ｙ方向は光源ユニット着脱方向であり、図中Ｘ方向は、Ｙ方向、Ｚ方向いずれにも直交する方向である。
【００１９】
着脱機構１５０は、光源ユニット２０ａを保持する保持部材１２０を有している。
保持部材１２０のＸ方向両端には、光源ユニット２０ａを保持する保持部１２０ａが設けられている。保持部１２０ａは、保持部材１２０のＸ方向端部から下方に向けて延びた後内側に折り返された形状をしている。保持部材１２０は、複数のアーム部材を介して開閉カバー１ａに支持されている。具体的には、保持部材１２０の光源ユニット２０ａ着脱方向手前側は、第一手前側アーム部材１３１と第二手前側アーム部材１３２とからなる一対の手前側アーム部を介して開閉カバー１ａに支持されている。保持部材１２０の光源ユニット２０ａ着脱方向奥側は、一対の奥側アーム部材１３３を介して開閉カバー１ａに支持されている。
【００２０】
第一手前側アーム部材１３１の一端は、開閉カバー１ａの回動部材１０２に回動自在に取り付けられている。第一手前側アーム部材の他端側は、長穴部１３１ａを有しており、この長穴部１３１ａに、第二手前側アーム部材１３２の一端に設けられた突起部１３２ｂが嵌っている。第二手前側アーム部材１３２の他端も、長穴部１３２ｂを有しており、この長穴部１３２ｂに保持部材１２０の支持突起１２０ｂが嵌っている。
奥側アーム部材１３３の一端は、開閉カバー１ａの回動部材１０２に回動自在に取り付けられており、他端は、保持部材１２０に回動自在に取り付けられている。
【００２１】
保持部材１２０のＸ方向両端には、保持部材１２０を鉛直方向（Ｚ方向）に真直ぐに移動させるためのレール機構１２１が設けられている。図６（ｂ）に示すように、保持部材１２０のＸ方向一端側は、Ｙ方向中央にレール機構１２１が設けられており、図７に示すように、Ｘ方向他端側は、Ｙ方向両端にレール機構１２１が設けられている。
図６（ｂ）に示すように、Ｘ方向一端側のレール機構１２１は、光源ユニット収納部１１１の外壁に設けられた筒状の案内部１１１ａに挿入される鉛直下向きに延びる第一レール部１２１ａを有している。また、案内部１１１ａの外周面に接触する鉛直下向きに延びる一対の第二レール部１２１ｂとを有している。第二レール部１２１ｂの先端は、案内部１１１ａ側に突出しており、この突出した部分が案内部１１１ａの外周面に接触する。
【００２２】
一方、図７に示すように、Ｘ方向他端側のＹ方向両端に設けられたレール機構１２１は、光源ユニット収納部１１１の筒状の案内部１１１ａに挿入される第一レール部１２１ａと、案内部１１１ａの外周面に接触する第二レール部１２１ｂとをひとつ備えている。光源ユニット着脱方向手前側のレール機構の第二レール部は第一レール部１２１ａより手前側に設けられており、奥側のレール機構の第二レール部は、第一レール部よりも奥側に設けられている。
保持部材１２０は、各レール機構１２１が、光源ユニット収納部１１１の案内部１１１ａに案内されることにより、鉛直方向（Ｚ方向）に真直ぐに移動することができる。
【００２３】
光源ユニット２０ａは、放電ランプ２１を保持する光源ホルダ２０１を有している。光源ホルダ２０１のＸ方向両端には、支持レール２０１ａが形成されている。また、光源ホルダ２０１の光源ユニット着脱方向奥側端部には、一対の位置決め穴２０１ｂが設けられている。光源ユニット２０ａをＹ方向に移動させて光源ホルダ２０１の支持レール２０１ａを上述した保持部材１２０の保持部１２０ａに挿入することにより、光源ユニット２０ａが保持部材１２０に保持される。また、保持部材１２０に対してＹ方向に光源ユニット２０ａをスライド移動させることで、光源ユニット２０ａが、保持部材１２０から取り外すことができる。
【００２４】
また、光源ホルダ２０１の光源ユニット着脱方向奥側端部に設けられた一対の位置決め穴２０１ｂは、光源ユニット収納部１１１に設けられた一対の位置決め突起１１３ａ（図１０参照）に嵌ることで、光源ユニット２０ａが装置本体内で位置決めされる。
また、光源ホルダ２０１には、光源コネクタ部２０１ｃも設けられている。光源コネクタ部２０１ｃは、光源ユニット収納部１１１に設けられた本体側コネクタ部１１１ｂに挿入され、装置本体の不図示の電源装置と放電ランプ２１とが接続される。
【００２５】
次に、開閉カバー１ａについて説明する。
図８は、開閉カバー１ａの斜視図であり、図９は、開閉カバー１ａの分解斜視図である。図１０は、開閉カバー１ａの回動軸１１２周辺をプロジェクタとともに示す拡大斜視図である。
図８、図９に示すように、開閉カバー１ａは、被ロック部材としてのカバー部材１０１と、装置本体に回動自在に支持される回動部材１０２とを有している。
回動部材１０２は、板金で構成されており、Ｙ方向一端（光源ユニット着脱方向奥側）には、一対の支持アーム部１０２ｃを有している。各支持アーム部１０２ｃには、支持穴１０２ｄが形成されている。この支持穴１０２ｄにトーションスプリング１０４が取り付けられた回動軸１１２（図１０参照）が挿入されることで、回動部材１０２が回動軸１１２に回動自在に支持される。回動部材１０２とトーションスプリング１０４とが取り付けられた回動軸１１２は、図１０に示すように、装置本体に固定されている。トーションスプリング１０４の一端は、装置本体の不図示のバネ受け部に固定し、他端は回動部材１０２に当接して、回動部材１０２を装置本体の開口部１１０を開く開位置へ付勢している。
【００２６】
また、回動部材１０２には、保持部材１２０に保持された光源ユニット２０ａの位置決め穴周辺を、光源ユニット収納部１１１側へ押圧する一対の押圧部１０５が設けられている。図１０に示すように、光源ユニット収納部１１１の光源ユニット着脱方向奥側には、一対の位置決め突起１１３ａが設けられている。上記押圧部１０５のよって、保持部材１２０に保持された光源ユニット２０ａの位置決め穴２０１ｂ形成部の下面を光源ユニット収納部１１１の位置決め突起形成面１１３ｂに押し当てる。これにより、光源ユニット２０ａを装置本体内でＺ方向などに位置決めする。
【００２７】
図８に示すように、回動部材１０２の光源ユニット着脱方向手前側には、Ｙ方向にＬ１の長さを有する第一穴部１０２ａが形成されている。また、光源ユニット着脱方向奥側には、第二穴部１０２ｂが形成されている。第二穴部１０２ｂは、Ｘ方向延びる長穴部と、そのＸ方向に延びる長穴部の中央部から光源ユニット着脱方向奥側に向かってＬ２の長さを有する長穴部とを有している。
【００２８】
また、回動部材１０２には、板バネ部材１０３がカシメ固定されている。板バネ部材１０３は、Ｙ方向に延びる形状であり、一端側が第二穴部１０２ｂを塞いでおり、他端側が第一穴部１０２ａを塞いでいる。この板バネ部材１０３のＹ方向略中央部分が、回動部材１０２にカシメ固定されている。これにより、第二穴部１０２ｂを塞ぐ一端側と第一穴部１０２ａを塞ぐ他端側とが板バネとして機能する。
【００２９】
板バネ部材１０３の第一穴部１０２ａを塞ぐ部分には、カバー部材１０１のＸ方向中央部に設けられた第一突起部１０１ｅ（図９参照）が嵌る第一嵌合部１０３ａと第二嵌合部１０３ｃとが所定の間隔を開けて形成されている。第一嵌合部１０３ａおよび第二嵌合部１０３ｃは、回動部材１０２に対して凸状の形状となっている。
【００３０】
また、板バネ部材１０３の第二穴部１０２ｂのＸ方向に延びる長穴部に対向する部分は、第二穴部内に凹んだ凹み部１０３ｅが形成されている。また、板バネ部材１０３の第二穴部１０２ｂのＹ方向に延びる長穴部と対向する箇所には、カバー部材１０１のＸ方向中央部に設けられた第二突起部１０１ｆ（図９参照）が嵌る第三嵌合部１０３ｄと第四嵌合部１０３ｇが所定の間隔を開けて形成されている。第三嵌合部１０３ｄと第四嵌合部１０３ｇは、回動部材１０２に対して凸状の形状となっている。第一嵌合部１０３ａと第二嵌合部１０３ｃとの間隔は、第三嵌合部１０３ｄと第四嵌合部１０３ｇとの間隔と同じとなっている。
【００３１】
図９に示すように、カバー部材１０１のＸ方向中央部には、Ｙ方向に所定の間隔を開けて第一突起部１０１ｅと第二突起部１０１ｆとが形成されている。第二突起部１０１ｆには、留め部材１０８が固定されている。留め部材１０８のＸ方向長さは、第二穴部１０２ｂのＹ方向に延びる長穴部のＸ方向長さより長く、Ｘ方向に延びる長穴部のＸ方向長さより短い。また、カバー部材１０１には、回動部材１０２に差し込まれるＹ方向に延びる一対の差込部１０１ｇを有している。
【００３２】
カバー部材１０１の回動部材１０２への取り付けは、カバー部材１０１の一対の差込部１０１ｇを、回動部材１０２の光源ユニット着脱方向手前側端部の側面に設けられた不図示の被差込部に差し込む。また、留め部材１０８を、板バネ部材１０３の凹部１０３ｅを押し上げて、第二穴部１０２ｂのＸ方向に延びる長穴部から挿入し、カバー部材１０１を、スライドさせて留め部材１０８を、板バネ部材１０３の第三嵌合部１０３ｄまたは第四嵌合部１０３ｇにはめ込む。また、このとき、カバー部材１０１の第一突起部１０１ｅが、回動部材１０２の第一穴部１０２ａに挿入され、板バネ部材１０３の第一嵌合部１０３ａまたは第二嵌合部１０３ａにはめ込まれる。これにより、カバー部材１０１が、回動部材１０２に対してＹ方向にスライド可能に取り付けられる。
【００３３】
カバー部材１０１のＸ方向両端には、所定の間隔を開けて鉤爪部１０１ｂが３つ設けられている。また、カバー部材１０１のＹ方向に対して直交する面のＸ方向両端には、所定の間隔を開けて嵌合突起部１０１ｃが３つ設けられている。また、カバー部材１０１のＹ方向に対して直交する面のＺ方向端部には、後述するインターロックスイッチを押す押し部１０１ｄが設けられている。
【００３４】
図１１は、開閉カバー１ａが、装置本体の開口部を閉じる閉位置でロックされた状態を説明する図である。
図１１に示すように、装置本体の開口部の縁には、開閉カバー１ａをロックするための複数のロック部材が設けられている。装置本体の上面開口部のＸ方向一端の縁に設けられた第一ロック部材１４１には、カバー部材１０１のＸ方向一端に設けられた鉤爪部１０１ｂが嵌る第一凸状部１４１ａが所定の間隔を開けて３箇所設けられている。
また、装置本体の上面開口部のＸ方向他端の縁に設けられた第三ロック部材１４３には、カバー部材１０１のＸ方向他端に設けられた鉤爪部１０１ｂが嵌る第三凸状部１４３ａが設けられている。
また、装置本体の側面開口部の縁には、第二ロック部材１４２が設けられており、第二ロック部材１４２には、カバー部材１０１の嵌合突起部１０１ｃが嵌る複数の嵌合穴１４２ａが設けられている。
【００３５】
また、装置本体の側面開口部の縁には、スイッチ保持部１４４が設けられており、このスイッチ保持部１４４には、インターロックスイッチ１４５が保持されている。インターロックスイッチ１４５は、放電ランプ２１と不図示の電源装置との間を通電したり遮断したりするものであり、インターロックスイッチ１４５がＯＮのときは、放電ランプ２１と不図示の電源装置との間が接続され、ＯＦＦのときは切断される。インターロックスイッチ１４５が押されることでＯＮとなる。
【００３６】
図１１に示すように開閉カバー１ａが閉位置でロックされているときは、鉤爪部１０１ｂが、第一ロック部材１４１および第三ロック部材１４３の凸状部１４１ａ，１４３ａに嵌り、嵌合突起部１０１ｃが第二ロック部材１４２の嵌合穴１４２ａに嵌る。これにより、開閉カバー１ａが、閉位置でロックされる。このときの回動部材１０２とカバー部材１０１との位置関係は、先の図８に示した関係となっている。すなわち、ロック状態のときは、留め部材１０８が、板バネ部材１０３の第四嵌合部１０３ｇに嵌っており、第一突起部１０１ｅが板バネ部材１０３の第一嵌合部１０３ａに嵌っている。
【００３７】
開閉カバー１ａのロックを解除するときは、カバー部材１０１を光源ユニット着脱方向手前側へスライド移動させる。すると、鉤爪部１０１ｂと第一ロック部材１４１および第三ロック部材１４３の凸状部１４１ａ，１４３ａとの嵌合が外れ、嵌合突起部１０１ｃが第二ロック部材１４２の嵌合穴１４２ａから抜ける。これにより、開閉カバー１ａのロックが解除され、開閉カバー１ａは、トーションスプリング１０４の付勢力により閉位置から開位置へ自動で回動する。
【００３８】
また、図１２（ａ）に示すように、開閉カバー１ａが閉位置でロックされているとき、カバー部材１０１の押し部１０１ｄがスイッチ保持部１４４に保持されているインターロックスイッチ１４５を押す。これにより、インターロックスイッチ１４５がＯＮとなり、放電ランプ２１と不図示の電源装置との間が接続され通電可能となる。
【００３９】
ロックを解除するために、カバー部材１０１を光源ユニット着脱方向手前側へスライドさせると、押し部１０１ｄがインターロックスイッチ１４５から離間する。その結果、インターロックスイッチ１４５がＯＦＦとなり、放電ランプ２１と不図示の電源との間が切断される。これにより、光源ユニット２０ａが、後述するように保持部材１２０とともに移動する際に、確実に放電ランプ２１との通電を切ることができ、安全性を確保することができる。
【００４０】
また、上述では、インターロックスイッチ１４５を用いているが、例えば、光学センサを用いて、開閉カバーが閉じられているか否かを検知し、光学センサの検知結果に基づいて、放電ランプ２１と不図示の電源との通電を遮断してもよい。
【００４１】
また、本実施形態においては、カバー部材１０１は所定以上の力を加えないと、ロック位置からロック解除位置へスライド移動できない構造となっている。
図１３（ａ）は、カバー部材１０１がロック位置にあるときの第一突起部１０１ｅと板バネ部材１０３との関係を示す断面図である。また、図１３（ｂ）は、カバー部材１０１がロック解除位置にあるときの第一突起部１０１ｅと板バネ部材１０３との関係を示す断面図である。また、図１４は、カバー部材１０１がロック解除位置にあるときの開閉カバー１ａの斜視図である。
開閉カバー１ａがロックされているとき、図１３（ａ）および先の図８に示すように、カバー部材１０１の第二突起部１０１ｆ（留め部材１０８）が、板バネ部材１０３の第四嵌合部１０３ｇに嵌っている。また、第一突起部１０１ｅが板バネ部材１０３の第一嵌合部１０３ａに嵌っている。第四嵌合部１０３ｇおよび第一嵌合部１０３ａの光源ユニット着脱方向手前側は、Ｚ方向に対して傾斜した傾斜面となっている。
【００４２】
ロックを解除するためにカバー部材１０１を図中左側へスライド移動させるとき、第一突起部１０１ｅおよび第二突起部１０１ｆも図中左側へ移動する。このとき、板バネ部材１０３の第一嵌合部１０３ａと第二嵌合部１０３ｃとの間の第一平坦部１０３ｂが、第一突起部１０１ｅの図中左側への移動の抵抗となる。すなわち、第一突起部１０１ｅが図中左側へ移動するには、板バネ部材１０３の一端側を持ち上げて、この第一平坦部１０３ｂを板バネ部材１０３の付勢力に抗して第一突起部１０１ｅに乗り上げさせる必要がある。
【００４３】
また、板バネ部材１０３の第三嵌合部１０３ｄと第四嵌合部１０３ｇとの間の第二平坦部１０３ｆが、第二突起部１０１ｆの図中左側への移動の抵抗となる。すなわち、第二突起部１０１ｆが図中左側へ移動するには、板バネ部材１０３の他端側を持ち上げて、この第二平坦部１０３ｆを板バネ部材１０３の付勢力に抗して第二突起部１０１ｆに乗り上げさせる必要がある。
【００４４】
このようにロックを解除するべく、カバー部材１０１をロック位置からロック解除位置へスライド移動させるとき、板バネ部材１０３の付勢力以上の力が必要となる。よって、容易にロックが解除されることがない。その結果、装置の振動などによってカバー部材１０１がスライド移動してロックが解除され、意図せず開閉カバー１ａが開いてしまうのを防止することができる。
【００４５】
また、ロック位置からロック解除位置へカバー部材１０１を移動させる間、板バネ部材１０３の各平坦部１０３ｂ，１０３ｆがカバー部材の突起部１０１ｅ，１０１ｆに乗り上げた状態で、カバー部材１０１をスライド移動させることになる。そのため、ロック解除位置への移動時は、板バネ部材１０３の付勢力による移動抵抗が働く。そして、ロック解除位置までカバー部材１０１を移動させると、図１３（ｂ）および図１４に示すように、第一突起部１０１ｅが、板バネ部材１０３の第二嵌合部１０３ｃに嵌る。また、第二突起部１０１ｆ（留め部材１０８）が板バネ部材１０３の第三嵌合部１０３ｄに嵌る。その結果、カバー部材１０１に板バネ部材１０３からの付勢力が無くなる。よって、ユーザーがロック解除位置までカバー部材１０１をスライド移動させると、急激に移動抵抗が無くなり、ユーザーにクリック感を与えることができる。これにより、カバー部材１０１をロック解除位置まで移動させたことをユーザーに知らせることができる。
【００４６】
また、図１３に示すように、第二嵌合部１０３ｃおよび第三嵌合部１０３ｄの光源ユニット着脱方向手前側（図中左側）は、Ｚ方向と平行な面となっており、これらＺ方向と平行な面が、カバー部材１０１のロック解除位置からさらに図中左側への移動を規制している。これにより、カバー部材１０１が回動部材１０２から外れるのが防止される。
【００４７】
また、ロック解除位置から、カバー部材１０１をロック位置へ移動させるときも、カバー部材１０１に板バネ部材１０３の付勢力が働くため、装置の振動などでロック解除位置からロック位置へ移動することがない。また、カバー部材をロック位置へスライド移動させるときは、板バネ部材１０３の付勢力が働き、ロック位置に到達すると、第一突起部１０１ｅが第一嵌合部１０３ａに嵌り、第二突起部１０１ｆ（留め部材１０８）が第四嵌合部１０３ｇに嵌って、付勢力が無くなる。その結果、カバー部材１０１をロック位置へ移動させるときもカバー部材１０１がロック位置に達したときユーザーにクリック感を与えることができる。
【００４８】
図１５（ａ）は、押圧部１０５の分解斜視図であり、図１５（ｂ）は、押圧部１０５の断面図である。
押圧部１０５は、台座部材１５１と、コイルスプリング１５２と、押圧部材１５３とで構成されている。台座部材１５１は、押圧部材１５３が取り付けられる取り付け穴１５１ａと、取り付け穴１５１ａの外周４箇所からＺ方向に延びる取り付け爪１５１ｂとを有している。押圧部材１５３は、光源ユニット２０ａを押す押し込み面１５３ａと、押し込み面１５３ａから、Ｚ方向に延びるように設けられた複数の取り付け爪１５３ｂとを有している。押圧部材１５３の複数の取り付け爪１５３ｂをコイルスプリング１５２に挿入し、押圧部材１５３の複数の取り付け爪１５３ｂの爪部を、台座部材１５１の取り付け穴１５１ａに嵌め込む。これにより、押圧部材１５３が、台座部材１５１に対してＺ方向に移動可能に取り付けられる。また、コイルスプリング１５２が、押圧部材１５３と台座部材１５１とに狭持される。また、台座部材１５１の取り付け爪１５１ｂの爪部を、回動部材１０２の押圧固定部１０２ｅにはめ込むことで、押圧部１０５が回動部材１０２に固定される。
【００４９】
図１６（ａ）は、開閉カバー１ａが閉じられる直前の状態を示す断面図であり、図１６（ｂ）は、開閉カバー１ａを閉じた状態を示す断面図である。なお、図１６（ａ）、図１６（ｂ）の図中右側の図は、押圧部１０５周辺の拡大断面図である。また、図１７は、図１６の図中Ｄ部付近の概略平面図である。
【００５０】
図１７に示すように、保持部材１２０の光源ユニット装着方向奥側端部は、保持部材１２０に保持された光源ユニット２０ａの位置決め穴２０１ｂが、保持部材１２０から露出するように、一部が切り欠かれている。
開閉カバー１ａを閉じていくと、詳細は後述するが、保持部材１２０に保持された光源ユニット２０ａが、開閉カバー１ａの回動に連動して光源ユニット収納部１１１へとＺ方向に移動していく。そして、図１６（ａ）に示すように、光源ユニット２０ａの位置決め穴２０１ｂが、位置決め突起１１３ａに嵌っていく。さらに開閉カバー１ａを閉じていくと、押圧部１０５が、光源ホルダ２０１の位置決め穴２０１ｂ形成部の上面に当接する。さらに、開閉カバー１ａを閉じていくと、コイルスプリング１５２を圧縮しながら、押圧部材１５３が台座部材１５１に対してスライド移動していく。図１６（ｂ）に示すように、開閉カバー１ａが閉じられると、コイルスプリング１５２がＭ１からＭ２まで圧縮され、コイルスプリング１５２の付勢力で押圧部材１５３が位置決め穴２０１ｂ形成部を図中矢印Ｆ方向に押し込む。これにより、光源ホルダ２０１の位置決め穴２０１ｂ形成部の下面が、光源ユニット収納部１１１の位置決め突起形成面１１３ｂに押し当たる。
【００５１】
光源ユニット２０ａの位置決め穴２０１ｂが、位置決め突起１１３ａと嵌合することにより、光源ユニット２０ａが、装置本体内でＸ方向、Ｙ方向およびＺ方向回りに位置決めされる。また、押圧部材１５３により光源ユニット２０ａの位置決め穴２０１ｂ形成部の下面を、光源ユニット収納部１１１の位置決め突起形成面１１３ｂに押し当てることで、光源ユニット２０ａが、装置本体内で、Ｚ方向、Ｙ方向回りに位置決めされる。また、光源ユニット２０ａの位置決め穴２０１ｂの周囲の面と、位置決め突起形成面１１３ｂの面同士が当接することで、Ｘ方向回りにも位置決めされる。
【００５２】
次に、光源ユニット２０ａの交換について、図１８乃至図２０に基づいて、説明する。
光源ユニット２０ａを交換するときは、まず、開閉カバー１ａのカバー部材１０１を図中矢印Ｃ方向にスライドさせる。すると、先の図１１を用いて説明したように、ロックが解除され、トーションスプリング１０４の付勢力により開閉カバー１ａが、回動軸１１２（図１０参照）を支点にして、閉位置から開位置へと回動する。保持部材１２０は、手前側アーム部材１３１、１３２（図６参照）と奥側アーム部材１３３（図６参照）とにより開閉カバー１ａに支持されている。よって、開閉カバー１ａが回動すると、それに追随して保持部材１２０が、光源ユニット２０ａを光源ユニット収納部１１１に収納する光源収納位置から、光源ユニット２０ａが装置本体から露出する着脱位置へ移動する。このとき、保持部材１２０のレール機構１２１が光源ユニット収納部１１１の案内部１１１ａに案内されることにより、保持部材１２０は、Ｚ方向に真直ぐに移動する。このように、保持部材１２０がＺ方向に真直ぐに引き出されることにより、図１８（ｃ）に示すように、本体側コネクタ部１１１ｂに挿入された光源コネクタ部２０１ｃが、本体側コネクタ部１１１ｂから良好に引き出すことができる。
【００５３】
図１９に示すように、開閉カバー１ａの回動により保持部材１２０がＺ方向へ移動することにより、光源ユニット２０ａが、装置本体から露出していく。そして、図２０に示すように、開閉カバー１ａが開位置まで回動すると、光源ユニット２０ａが装置本体から露出し光源ユニット２０ａが着脱される着脱位置まで保持部材１２０が移動する。保持部材１２０が着脱位置まで移動したら、装置本体から露出した光源ユニット２０ａを掴んで、水平方向（Ｙ方向）にスライドさせて、光源ユニット２０ａを保持部材１２０から取り外す。
【００５４】
次に、新品の光源ユニット２０ａをＹ方向へ移動させて、保持部材１２０に装着したら、開閉カバー１ａを、トーションスプリング１０４の付勢力に抗して手動で閉位置へ向けて回動させる。すると、開閉カバー１ａの回動に伴い、保持部材１２０が、着脱位置から光源収納位置へＺ方向に真直ぐ移動していく。すると、先の図１６を用いて説明したように、光源ユニット２０ａの位置決め穴２０１ｂに位置決め突起１１３ａが嵌り、光源ユニット２０ａが装置本体に対してＸ方向、Ｙ方向およびＺ方向回りに位置決めされる。また、光源コネクタ部２０１ｃが本体側コネクタ部１１１ｂの挿入され、放電ランプ２１と装置本体内の不図示の電源ユニットとが接続され、放電ランプ２１に電力供給が可能となる。そして、開閉カバー１ａを閉位置まで回動させると、開閉カバー１ａの回動部材１０２に設けられた押圧部１０５が、光源ホルダ２０１の位置決め穴２０１ｂ周辺を押して、位置決め穴２０１ｂ形成部の下面を位置決め突起形成面１１３ｂに押し当てる。これにより、光源ユニット２０ａが装置本体に対して、Ｚ方向、Ｙ方向回りおよびＸ方向回りに位置決めされる。
【００５５】
開閉カバー１ａを閉位置まで回動させたら、開閉カバー１ａのカバー部材１０１をスライドさせて、開閉カバー１ａを閉位置でロックする。これにより、開閉カバー１ａがトーションスプリング１０４の付勢力で開位置へ回動することがない。
【００５６】
このように、本実施形態においては、光源ユニット２０ａを交換するとき、光源ユニット２０ａが、装置本体から露出する着脱位置まで移動する。よって、ユーザーは、光源ユニット２０ａを目視で確認しながら、保持部材１２０から光源ユニット２０ａを引き出すことができる。これにより、プロジェクタ１が、装置本体内を目視で確認しづらい箇所に設置されても、光源ユニット２０ａ交換時には、光源ユニット２０ａが装置本体から露出するため、目視で光源ユニット２０ａを確認しながら交換することができる。
【００５７】
また、光源ユニット２０ａを取り出すときに、装置本体内に手を入れることなく、光源ユニット２０ａにアクセスすることができる。よって、装置本体内の部品に引っ掛かけることなく、光源ユニット２０ａにアクセスすることができ、容易に装置本体から取り外すことができる。
【００５８】
また、保持部材１２０と新品の光源ユニット２０ａとの位置関係を目視で確認しながら、新品の光源ユニット２０ａを保持部材１２０に装着することができる。よって、装置本体内が目視で確認しずらい箇所にプロジェクタが設置されても光源ユニット２０ａを装置本体に容易に装着することができる。
【００５９】
また、本実施形態では、光源ユニット２０ａを水平方向にスライドさせて、保持部材１２０に対して着脱を行うことができる。これにより、光源ユニット２０ａを交換する際の開口部１１０が下向きとなるように設置されたプロジェクタ１において、光源ユニット２０ａを交換するために保持部材１２０に対して光源ユニット２０ａをスライドさせているときに、光源ユニット２０ａから手を離しても、光源ユニット２０ａは、保持部材１２０に支えられる。よって、光源ユニット２０ａの交換時に、光源ユニット２０ａが落下するのを抑制でき、光源ユニット２０ａが落下により破損するのを抑制することができる。
【００６０】
また、本実施形態においては、次の１．〜４．構成を有しているので、カバー部材１０１をスライドさせるというワンアクションで、光源ユニット２０ａを交換可能な状態にできる。
１．開閉カバー１ａを装置本体に回動自在に取り付け、開閉カバー１ａを取り外すことなく、開口部１１０を開くことができる構成。
２．開閉カバー１ａをトーションスプリング１０４により開位置へ付勢する構成。
３．位置決め突起、位置決め穴、押圧部などを用いて、光源ユニット２０ａを装置本体に精度よく位置決めできる構成。
４．保持部材１２０が、開閉カバー１ａの開閉動作にリンクして、光源収納位置と着脱位置との間を移動する構成。
上記１．〜４．の各構成が、光源ユニット２０ａの交換作業を簡素化する構成であるが、これら１．〜４．の構成が組み合わさることにより、カバー部材１０１をスライドさせるというワンアクションで、光源ユニット２０ａを交換可能な状態（着脱位置に位置させる）にできる。これにより、光源ユニット２０ａの交換作業を簡素化できる。
【００６１】
また、上記１．の構成を有することで、取り外した開閉カバーを、一旦、作業の邪魔とならない場所に置いたり、開閉カバーを取り付けるために、開閉カバーを取りに戻ったりという作業が必要となくなり、光源ユニット２０ａの交換作業を簡素化できる。また、手が滑って、取り外した開閉カバーを落下させるような事態が生じることがなく、開閉カバーの破損を防止できる。
【００６２】
また、上記２．の構成を有することで、開閉カバー１ａを開くという作業が不要となり、光源ユニット２０ａの交換作業を簡素化することができる。
【００６３】
また、上記３．の構成を有することで、光源ユニット２０ａを装置本体にネジ止めして位置精度を出す装置に比べて、光源ユニット２０ａを交換する際に、工具を用いてネジを取り外すなどの作業が不要となる。これにより、光源ユニット２０ａの交換作業を簡素化することができる。
【００６４】
また、上記４．の構成を有することで、開閉カバー１ａを開いた後に、保持部材１２０を光源収納位置から着脱位置へ移動させる操作が不要となり、光源ユニット２０ａの交換作業を簡素化することができる。
【００６５】
以上に説明したものは一例であり、本発明は、以下の態様毎に特有の効果を奏する。
（態様１）
放電ランプ２１などの光源を有し、装置本体に対して着脱可能に構成された光源ユニット２０ａを備え、光源からの光を用いて画像を投射するプロジェクタ１などの画像投射装置において、光源ユニット２０ａを保持し、装置本体内の光源ユニット２０ａが収納される光源収納位置と、前記光源ユニットが装置本体から露出し光源ユニット２０ａが着脱される着脱位置とを選択的に取りうる保持部材１２０などの光源ユニット保持手段を備えた。
（態様１）によれば、装置本体内が目視で確認しずらい箇所に画像投射装置が設置されても、光源ユニットを交換するときは、光源ユニット保持手段に保持された光源ユニットが装置本体から露出する着脱位置に位置するので、光源ユニットと光源ユニット保持手段とを目視で確認できる。これにより、光源ユニット保持手段と光源ユニットとの位置関係を目視で確認しながら、光源ユニットを光源ユニット保持手段に対して着脱を行うことができる。よって、装置本体内が目視で確認しずらい箇所に画像投射装置が設置されても光源ユニットを装置本体に容易に装着することができる。
【００６６】
（態様２）
（態様１）において、保持部材１２０などの光源ユニット保持手段が着脱位置に位置しているとき、光源ユニット２０ａは、光源ユニット保持手段に対して水平方向にスライド移動することで、光源ユニット保持手段に対して着脱される。
（態様２）によれば、実施形態で説明したように、光源ユニット２０ａを保持部材１２０などの光源ユニット保持手段で支えられながら、光源ユニット２０ａを着脱することができる。これにより、光源ユニット２０ａ交換のための開口部１１０が、下向きになるように設置されたプロジェクタにおいて、光源ユニット２０ａ着脱の際に、手が滑るなどにして光源ユニット２０ａから手が離れても、光源ユニット２０ａが光源ユニット保持手段に支えられ、光源ユニット２０ａが落下するのを抑制することができる。これにより、光源ユニット２０ａの落下で光源ユニット２０ａが破損するのを抑制することができる。
【００６７】
（態様３）
（態様１）または（態様２）において、保持部材１２０などの光源ユニット保持手段が、光源収納位置と着脱位置とを選択的に取りうるために設けられた開口部１１０を開閉する開閉カバー１ａを備え、開閉カバー１ａを装置本体から取り外すことなく開口部１１０を開けることができるように構成した。
これによれば、実施形態で説明したように、光源ユニット２０ａ交換の際に、開閉カバー１ａが落下して、開閉カバー１ａが破損するのを防止することができる。また、光源ユニット２０ａを交換する際に開閉カバーを取り外す構成とは異なり、取り外した開閉カバーを、交換の作業の邪魔にならない位置に一旦置いたり、光源ユニット装着後、開閉カバー１ａを取りに戻るなどの作業が生じない。これにより、光源ユニット２０ａの交換の際に開閉カバー１ａを取り外す構成に比べて、光源ユニット２０ａの交換作業を簡素化することができる。
【００６８】
（態様４）
（態様３）において、開閉カバー１ａは、装置本体に対して回動自在に支持され、トーションスプリング１０４などの付勢手段によって開口部１１０を開く開位置に付勢される回動部材１０２と、装置本体のロック部（本実施形態では、第一ロック部材１４１の第一凸状部１４１ａ、第三ロック部材１４３の第三凸状部１４３ａおよび第二ロック部材１４２の嵌合穴１４２ａ）により開口部１１０を閉じる閉位置で装置本体にロックされるカバー部材１０１などの被ロック部材とを有し、被ロック部材を前記回動部材１０２に対してスライド移動させることで、ロックが解除され、前記開閉カバー１ａが、前記付勢手段の付勢力で前記閉位置から前記開位置へ回動する。
これによれば、実施形態で説明したように、カバー部材１０１などの被ロック部材をスライド移動させるだけで、自動的に開閉カバー１ａを開位置へ移動させることができる。これにより、開閉カバー１ａを手動で開位置へ移動させる場合に比べて、光源ユニット２０ａの交換作業を簡素化することができる。
【００６９】
（態様５）
（態様４）において、所定以上の力をカバー部材１０１などの被ロック部材に加えることで、被ロック部材が、ロック部にロックされるロック位置からロックが解除されるロック解除位置へのスライド移動可能となる。
これによれば、実施形態で説明したように、装置の振動などにより、カバー部材１０１などの被ロック部材がスライド移動して、ロックが解除され、開閉カバー１ａが開いてしまうのを防止することができる。
【００７０】
（態様６）
（態様３）乃至（態様５）いずれかにおいて、保持部材１２０などの光源ユニット保持手段は、開閉カバーの開閉動作にリンクして、光源収納位置と着脱位置との間を移動するよう構成した。
これによれば、実施形態で説明したように、開閉カバー１ａを開くと、保持部材１２０などの光源ユニット保持手段が、光源収納位置から着脱位置に移動する。また、開閉カバー１ａを閉じると、光源ユニット保持手段が着脱位置から光源収納位置へ移動する。これにより、開閉カバー１ａを開閉するだけで、光源ユニット保持手段を、光源収納位置と着脱位置との間を移動させることができ、光源ユニット２０ａの交換作業を簡素化することができる。
【００７１】
（態様７）
（態様６）において、開閉カバー１ａは、装置本体に対して回動自在に支持され、保持部材１２０などの光源ユニット保持手段と開閉カバー１ａとを複数のアーム部材により連結し、開閉カバー１ａの回動動作で光源ユニット保持手段が、直線的に光源収納位置と着脱位置との間を移動するよう案内する案内手段（本実施形態では、レール機構１２１および案内部１１１ａで構成）を有する。
これによれば、開閉カバー１ａの回動で、光源ユニット保持手段を直線的に移動させることができる。
【００７２】
（態様８）
（態様１）乃至（態様７）のいずれかにおいて、保持部材１２０などの光源ユニット保持手段が、光源収納位置と着脱位置とを選択的に取りうるために設けられた開口部１１０を開閉する開閉カバー１ａを備え、光源ユニット２０ａは、光源収納位置で装置本体内の位置決め突起１１３ａなどの位置決め部と嵌合して装置本体内に位置決めされる位置決め穴２０１ｂなどの嵌合位置決め部と、光源収納位置で装置本体内の位置決め突起形成面１１３ｂなどの位置決め面に面接触する被位置決め面（本実施形態では、位置決め穴形成部の下面）とを備え、開閉カバー１ａは、開口部１１０を閉じたとき、光源収納位置に位置する光源ユニット２０ａを、位置決め面に向けて押圧する押圧部１０５を有する。
これによれば、実施形態で説明したように、位置決め穴２０１ｂなどの嵌合位置決め部が位置決め突起１１３ａなどの位置決め部と嵌合することにより、光源ユニット２０ａが、装置本体に対して光源ユニット２０ａの着脱方向（Ｙ方向）、開閉カバー１ａの回動軸方向（Ｘ方向）、開口部１１０の開口面に対して直交する方向（Ｚ方向）回りに位置決めすることができる。
また、押圧部１０５で光源ユニット２０ａの被位置決め面を装置本体内の位置決め面に押圧することで、光源ユニット２０ａが、Ｚ方向、Ｙ方向回りおよびＸ方向回りに位置決めすることができる。
これにより、光源ユニット２０ａを装置本体に高精度に位置決めされ、良好な光学性能を確保することができる。
【００７３】
（態様９）
（態様１）乃至（態様８）いずれかにおいて、保持部材１２０などの光源ユニット保持手段が、光源収納位置と着脱位置とを選択的に取りうるために設けられた開口部１１０を開閉する開閉カバー１ａを備え、開閉カバー１ａが開口部１１０を閉じているか否かを検知するインターロックスイッチ１４５などの開閉検知手段と、前記開閉検知手段が前記開閉カバーが前記開口部を閉じていないことを検知したら、上記光源ユニット２０ａへの通電を遮断する。
これによれば、開閉カバー１ａが開口部１１０を閉じていないとき、通電を遮断するので、安全に光源ユニットを、光源収納位置から着脱位置へ移動させることができる。
【符号の説明】
【００７４】
１：プロジェクタ
１ａ：開閉カバー
２０ａ：光源ユニット
２１：放電ランプ
１０１：カバー部材
１０１ｂ：鉤爪部
１０１ｃ：嵌合突起部
１０１ｄ：押し部
１０１ｅ：第一突起部
１０１ｆ：第二突起部
１０１ｇ：差込部
１０２：回動部材
１０２ａ：第一穴部
１０２ｂ：第二穴部
１０２ｃ：支持アーム部
１０２ｄ：支持穴
１０２ｅ：押圧固定部
１０３：板バネ部材
１０３ａ：第一嵌合部
１０３ｂ：第一平坦部
１０３ｃ：第二嵌合部
１０３ｄ：第三嵌合部
１０３ｆ：第二平坦部
１０３ｇ：第四嵌合部
１０４：トーションスプリング
１０５：押圧部
１０８：留め部材
１１０：開口部
１１１ 光源ユニット収納部
１１１ａ：案内部
１１２：回動軸
１１３ａ：位置決め突起
１１３ｂ：位置決め突起形成面
１２０：保持部材
１２０ａ：保持部
１２１：レール機構
１２１ａ：第一レール部
１２１ｂ：第二レール部
１３１：第一手前側アーム部材
１３２：第二手前側アーム部材
１３３：奥側アーム部材
１４１：第一ロック部材
１４１ａ：第一凸状部
１４２：第二ロック部材
１４２ａ：嵌合穴
１４３：第三ロック部材
１４３ａ：第三凸状部
１４４：スイッチ保持部
１４５：インターロックスイッチ
１５０：着脱機構
２０１：光源ホルダ
２０１ａ：支持レール
２０１ｂ：位置決め穴
【先行技術文献】
【特許文献】
【００７５】
【特許文献１】特許第４５３１４３号公報
【図１】
2016035506.tif 000003
【図２】
2016035506.tif 000004
【図３】
2016035506.tif 000005
【図４】
2016035506.tif 000006
【図５】
2016035506.tif 000007
【図６】
2016035506.tif 000008
【図７】
2016035506.tif 000009
【図８】
2016035506.tif 000010
【図９】
2016035506.tif 000011
【図１０】
2016035506.tif 000012
【図１１】
2016035506.tif 000013
【図１２】
2016035506.tif 000014
【図１３】
2016035506.tif 000015
【図１４】
2016035506.tif 000016
【図１５】
2016035506.tif 000017
【図１６】
2016035506.tif 000018
【図１７】
2016035506.tif 000019
【図１８】
2016035506.tif 000020
【図１９】
2016035506.tif 000021
【図２０】
2016035506.tif 000022